(57)【要約】【課題】少ないスペースで、外周に鍔が設けられた容器を見やすく、且つ１個ずつ容易に取り出せるように陳列するための鍔付き容器陳列ケース１を提供することを目的とする。【解決手段】外周に鍔１１が設けられた容器１０を陳列するための陳列ケースであって、正面板２１と、正面板２１とともに容器１０を上下に積み上げ収納するための筒状の陳列室３を形成する背板２２および両側板２３、２４とを有し、上端部は容器の投入口４となっている。また、下端部５に、一番下の容器１０Ａの鍔１１より下の部分が下端部５の開口から突き出た状態で一番下の容器１０Ａの鍔１１を係止する段部５Ａと、段部５Ａに係止された容器１０Ａを前方に引き出し取り出すために前方に開口した取出口５Ｂとが設けられている。下端部５の開口から突き出た一番下の容器１０Ａの鍔１１より下の部分を把持して引き出すことで、容易に容器１０Ａを取出口５Ｂから取り出すことが可能である。【選択図】図１
2007037795.tif 000002
【特許請求の範囲】
【請求項１】
外周に鍔が設けられた容器を陳列するための陳列ケースであって、
正面板と、前記正面板とともに前記容器を上下に積み上げ収納するための筒状の陳列室を形成する背板および両側板とを有し、
上端部は前記容器の投入口となっており、
下端部に、一番下の前記容器の前記鍔より下の部分が前記下端部の開口から突き出た状態で前記一番下の容器の鍔を係止する段部と、該段部に係止された前記下の容器を前方に引き出し取り出すために前方に開口した取出口とが設けられていることを特徴とする鍔付き容器陳列ケース。
【請求項２】
請求項１に記載の鍔付き容器陳列ケースにおいて、
前記正面板が透明な材料で形成されたことを特徴とする鍔付き容器陳列ケース。
【請求項３】
請求項１または請求項２に記載の鍔付き容器陳列ケースにおいて、
複数の前記陳列室が左右に並設されたことを特徴とする鍔付き容器陳列ケース。
【請求項４】
請求項１ないし請求項３のいずれかに記載の鍔付き容器陳列ケースにおいて、
前記正面板、前記背板、および前記両側板のいずれかが上下に長く且つ上に開口した切欠を有する鍔付き容器陳列ケース。
【請求項５】
請求項１ないし請求項４に記載の鍔付き容器陳列ケースにおいて、
前記正面板の下方に、表示板を備え、
前記表示板と、前記正面板との間に、前記一番下の容器の鍔より下の部分が把持され引き出されるための隙間を設けたことを特徴とする鍔付き容器陳列ケース。
【請求項６】
請求項１ないし請求項５のいずれかに記載の鍔付き容器陳列ケースにおいて、
前記正面板を、後方から前方へ向けて下方に傾斜したまま支持する支持手段を備えることを特徴とする鍔付き容器陳列ケース。
【請求項７】
請求項１ないし請求項６のいずれかに記載の鍔付き容器陳列ケースにおいて、吊り下げるための穴、もしくは吊り下げるための穴が設けられた吊り下げ治具が設けられたことを特徴とする鍔付き容器陳列ケース。
【発明の詳細な説明】
【技術分野】
【０００１】
本発明は、外周に鍔が設けられた容器を上下に積み上げて収納し陳列するとともに１個ずつ取り出せるようにした鍔付き容器陳列ケースに関する。
【背景技術】
【０００２】
ミルクやシロップ、ジャム、ゼリーなどを小分けして入れる容器には、外周に鍔が設けられ、上端に蓋が被せられた容器がある。
外周に鍔が設けられた容器に入った商品を１つずつ陳列する場合、箱型のケースに並べて陳列されていることがある。
【０００３】
従来、外周に鍔が設けられた容器を陳列するときに用いられるケースには、仕切り板が設けられており、容器を蓋を上にして置くとともに、複数個の容器を仕切り板に沿って前後左右に並べて陳列するものがある。しかし、この場合、陳列する床面積が大きくなってしまうという不具合が生じ、また見やすく陳列されるというものではなかった。
【０００４】
尚、紙コップを上方から収納し、下方から紙コップを１個ずつ取り出すための紙コップの収納および供給装置があるが、これは、取り出す際に紙コップの口の径を径小方向に変形させなければならない（特許文献１参照）。従って、容易に鍔を径小方向に変形させることができない外周に鍔が設けられた容器を収納・供給するのに使用することは困難である。
【特許文献１】特開平９−７５１５４号公報
【発明の開示】
【発明が解決しようとする課題】
【０００５】
本発明は、上記の問題点を解決するためになされたものであり、少ないスペースで、外周に鍔が設けられた容器を見やすく、且つ１個ずつ容易に取り出せるように陳列するための鍔付き容器陳列ケースを提供することを目的とする。
【課題を解決するための手段】
【０００６】
〔請求項１の手段〕
外周に鍔が設けられた容器を陳列するための陳列ケースであって、正面板と、正面板とともに容器を上下に積み上げ収納するための筒状の陳列室を形成する背板および両側板とを有し、上端部は容器の投入口となっており、下端部に、一番下の容器の鍔より下の部分が下端部の開口から突き出た状態で一番下の容器の鍔を係止する段部と、段部に係止された容器を前方に引き出し取り出すために前方に開口した取出口とが設けられている。
【０００７】
これによれば、外周に鍔が設けられた容器を上下に積み上げ収納することができるため、少ない面積で、多くの容器を陳列できる。
上端部が容器の投入口となっており、上から投入するだけで容器が補充できるため、補充作業が容易に行える。
鍔付き容器陳列ケースの下端部は、上下に積み上げられた容器のうち、一番下の容器の鍔より下の部分が下端部の開口から突き出た状態で一番下の容器の鍔を係止する段部と、段部に係止された容器を前方に引き出し取り出すために前方に開口した取出口とを有することで、下端部の開口から突き出た一番下の容器の鍔より下の部分を把持して引き出し、取出口から取り出すことが可能である。取り出すと、積み上げられた容器の自重で、容器が下方に移動し、新たに一番下となった容器の鍔が段部に係止され、取出口には常時、容器が取出可能状態に陳列される。
【０００８】
〔請求項２の手段〕
請求項２に記載の鍔付き容器陳列ケースは、正面板が透明な材料で形成される。透明な材料には、半透明な材料も含む。
これにより、容器および容器に入った商品を外部から視認できるため、陳列効果が向上する。
【０００９】
〔請求項３の手段〕
請求項３に記載の鍔付き容器陳列ケースは、複数の陳列室が左右に並設された。
これにより、容器の中身が異なる商品を陳列する場合、それぞれ分けて、陳列することができる。
【００１０】
〔請求項４の手段〕
請求項４に記載の鍔付き容器陳列ケースは、正面板、背板、および両側板のいずれかが上下に長く且つ上に開口した切欠を有する。
これによれば、鍔付き容器陳列ケースを逆さまにすることなく、切欠から手指などを入れて、間違って入れてしまった容器を取り出すことができる。また、容器の鍔に外方に突出するリップ部が設けられている場合には、上下に積み上げられたすべての容器のリップ部を切欠からはみ出させることにより、すべての容器の向きが揃い、きれいに陳列ができる。リップ部を切欠から外にはみ出させて陳列できるため、鍔付き容器陳列ケースの小型化が図れる。また、そのリップ部を持ちながら、上に開口した切欠きに沿って、投入し陳列でき、補充作業も行いやすい。
【００１１】
〔請求項５の手段〕
請求項５に記載の鍔付き容器陳列ケースは、正面板の下方に、表示板を備え、表示板と、正面板との間に、一番下の容器の鍔より下の部分が把持され引き出されるための隙間を設けた。
これにより、一番下の容器の取り出しを妨げずに商品の説明や価格などの商品情報を表示することが可能となり陳列効果が向上する。
【００１２】
〔請求項６の手段〕
請求項６に記載の鍔付き容器陳列ケースは、正面板を、後方から前方へ向けて下方に傾斜したまま支持する支持手段を備える。
傾斜していることにより、垂直な場合に比べ、容器が自重で下に移動し、段部に係止される際の衝撃が和らぐ。また斜め上方からの視認性がよくなり、陳列効果が向上する。支持手段により傾斜した状態を保持できる。
【００１３】
〔請求項７の手段〕
請求項７に記載の鍔付き容器陳列ケースには、吊り下げるための穴、もしくは吊り下げるための穴が設けられた吊り下げ治具が設けられている。
これにより、吊り下げ可能となり、壁などに吊り下げて陳列できる。
【発明を実施するための最良の形態】
【００１４】
最良の形態１の鍔付き容器陳列ケースは、外周に鍔が設けられた容器を陳列するための陳列ケースであって、正面板と、正面板とともに容器を上下に積み上げ収納するための筒状の陳列室を形成する背板および両側板とを有し、上端部は容器の投入口となっており、下端部に、一番下の容器の鍔より下の部分が下端部の開口から突き出た状態で一番下の容器の鍔を係止する段部と、段部に係止された容器を前方に引き出し取り出すために前方に開口した取出口とが設けられている。
【００１５】
また、正面板が透明な材料で形成される。さらに、鍔付き容器陳列ケースは、複数の陳列室が左右に並設され、正面板、背板、および両側板のいずれかが上下に長く且つ上に開口した切欠を有する。正面板の下方に、表示板を備え、表示板と、正面板との間に、一番下の容器の鍔より下の部分が把持され引き出されるための隙間を設けた。また、正面板を、後方から前方へ向けて下方に傾斜したまま支持する支持手段を備える。
【００１６】
最良の形態２の鍔付き容器陳列ケースは、吊り下げるための穴、もしくは吊り下げるための穴が設けられた吊り下げ治具が設けられている。
【実施例１】
【００１７】
〔実施例１の構成〕
実施例１の鍔付き容器陳列ケース１（以下、陳列ケース１とする）の構成を、図１ないし図３を用いて説明する。
陳列ケース１に陳列される容器１０は、外周に外方に広がる鍔１１が設けられており、この鍔１１には外方に突出するリップ部１２が形成されている。上端は鍔１１の輪郭と同一形状のフィルムで形成された蓋１３が被せられている。
【００１８】
鍔付き容器陳列ケース１は、正面板２１、背板２２および側板２３、２４を有する。正面板２１、背板２２および側板２３、２４は容器１０を上下に積み上げ収納するための筒状の陳列室３を形成する。上端部は容器１０の投入口４となっており、下端部５に、一番下の容器１０Ａの鍔１１より下の部分が下端部の開口から突き出た状態で一番下の容器１０Ａの鍔１１を係止する段部５Ａと、段部５Ａに係止された容器１０を前方に引き出し取り出すために前方に開口した取出口５Ｂとが設けられている。
【００１９】
正面板２１は、透明な樹脂製の平らな１枚の板で形成されている。
正面板２１の後方に正面板２１と垂直に側板２３、２４が設けられ、側板２３、２４の背面端側に正面板２１と平行に背板２２が設けられている。正面板２１、背板２２および側板２３、２４は、容器１０を上下に積み上げ収納するための陳列室３を形成している。
本実施例では、正面板２１とともに陳列室３を形成する側板２３、２４および背板２２が、左右に２組並設され、２つの陳列室３が左右に平行に並設されている。
【００２０】
本実施例では、陳列室３が矩形断面となるように、平らな板材である正面板２１、背板２２および側板２３、２４を組み合わせて形成されているが、容器１０を上下に積み上げ収納するための空間である陳列室３が形成されればよく、陳列室３が、楕円断面や半円断面となるように、正面板２１が湾曲した板であったり、背板２２および側板２３、２４が湾曲した板であったり、正面板２１、背板２２、および側板２３、２４を組み合わせた形状が円筒状であってもよい。
また、正面板２１、背板２２、および側板２３、２４が、射出成形によって形成され、一体であってもよい。
【００２１】
背板２２には上下に長く、且つ上下に開口した切欠２５が形成されている。この切欠２５の左右の幅は、容器１０のリップ部１２の幅に対応した大きさとなっている。
切欠２５は上下に長く、且つ上のみに開口したスリット状のものでもよい。
本実施例では、切欠２５は、背板２２に設けられたが、正面板２１、側板２３、２４に設けられていてもよい。
【００２２】
側板２３、２４の間隔は、容器１０の大きさに対応している。正面板２１と背板２２の間隔は、容器１０のリップ部１２が切欠２５より外に突出して配置されるため、リップ部１２を除いた容器１０の大きさに対応していればよい。
【００２３】
下端部５は、一番下の容器１０Ａの鍔１１より下の部分が下端部５の開口から突き出た状態で一番下の容器１０Ａの鍔１１を係止する段部５Ａと、段部５Ａに係止された容器１０Ａを前方に引き出し取り出すために前方に開口した取出口５Ｂとを有する。
【００２４】
段部５Ａは、側板２３、２４の下端から内側に向けて突設した係止段５３、５４を有する。
係止段５３、５４の上面は、一番下の容器１０Ａの鍔１１の下面と当接し、鍔１１を下方から係止する。
係止された一番下の容器１０Ａの鍔１１より下の部分は、下端部５から突き出ており、指で把持することが可能となっている。
【００２５】
係止段５３、５４の上面と、正面板２１の下端２１ａとの間には、隙間５５が設けられている。隙間５５の高さが、一番下の容器１０Ａの鍔１１を含む容器１０Ａの鍔１１より上方が通過できる高さとなるように、係止段５３、５４および正面板２１の下端２１ａの位置が決められ、その隙間５５が取出口５Ｂとなっている。
【００２６】
また、陳列ケース１は、正面板２１の下方に、表示板６を備える。表示板６と、正面板２１の下端２１ａとの間に、一番下の容器１０Ａの鍔１１より下の部分が把持され引き出されるための隙間７を設けた。
【００２７】
本実施例では、表示板６は、正面板２１と一枚板で形成され、正面板２１から下方に延設されてなり、表示板６と、正面板２１の下端２１ａとの間の隙間７は、容器１０の取出窓７１となっている。
表示板６が、正面板２１と別体で形成され、正面板２１の下端２１ａとの間に隙間７を設けて、設置されていてもよい。
表示板６には、商品の説明や、価格などの商品情報の書かれたラベル６１が張られている。ラベル６１に限らず、商品の説明の書かれたペイントが施されていてもよい。
【００２８】
陳列ケース１は、正面板２１を、後方から前方へ向けて下方に傾斜したまま支持する支持手段８を備える。支持手段８は、表示板６の下に、後ろに向けて約１００度折り曲げて延設された床部８１を有する。これにより、正面板２１を約８０度傾斜させたまま支持している。また、支持手段８は床部８１と、正面板２１および表示板６の両端との間に設けられた２つの辺の間の角度が約８０度の三角形の形をした三角板８２、８３とを有する。これにより、容器１０が大量に陳列された場合でも、安定して、傾斜角度を維持できる。
【００２９】
本実施例では、支持手段８は、床部８１と三角板８２、８３とを有しているが、床部８１と三角板８２、８３のどちらか一方のみを有していてもよい。
また、正面板２１の後ろに傾斜させた状態で保持する支柱が設けてあってもよい。
【００３０】
本実施例では、正面板２１と、表示板６と、床部８１とは、１枚の樹脂製の板材を曲げ加工して形成することにより、低コストで製作することができる。
【００３１】
〔実施例１の使用方法〕
実施例１の陳列ケース１の使用方法を、図３を用いて説明する。陳列ケース１には、容器１０が上下に積み上げられて陳列される。
容器１０のリップ部１２は、背板２２に設けられた切欠２５から、はみ出た状態で陳列される。
図３（ａ）は、積み上げられた容器１０の内、一番下の容器１０Ａを取り出す前の様子、図３（ｂ）は、容器１０Ａを取り出した後の様子を示した概略断面図である。
【００３２】
（ａ）では、一番下の容器１０Ａの鍔１１は、段部５Ａに係止されており、鍔１１より下の部分は下方に突き出ている。取出窓７１から指を入れ、容器１０Ａの鍔１１より下の部分を掴み、手前に引き出す。引き出すと、容器１０Ａの鍔１１より上の部分が取出口５Ｂから引き出され、容器１０Ａが取り出される。
容器１０Ａが取り出されると、積み上げられた容器１０の自重で、容器１０が下方に移動し、容器１０Ａのすぐ上に積まれており新たに一番下となった容器１０Ｂの鍔が段部５Ａに係止され、取出口５Ｂには常時、容器１０が取出可能状態に陳列される（図３（ｂ）参照）。
【００３３】
〔実施例１の効果〕
外周に鍔１１が設けられた容器１０を上下に積み上げ収納することができるため、少ない床面積で、多くの容器１０を陳列できる。
また、上端が容器１０の投入口４となっており、そこから容器１０が補充できるため、補充作業が容易に行える。
【００３４】
正面板２１は、透明な樹脂製の板材によって形成された。これにより容器１０および容器１０に入った商品を外部から視認できるため、陳列効果が向上する。
【００３５】
背板２２が上下に長く且つ上に開口した切欠２５を有する。これによれば、陳列ケース１を逆さまにすることなく、切欠２５から手指などを入れて、間違って入れてしまった容器１０を取り出すことができる。また、容器１０の鍔１１に外方に突出するリップ部１２が設けられている場合には、上下に積み上げられたすべての容器１０のリップ部１２を切欠２５からはみ出させることにより、すべての容器１０の向きが揃い、きれいに陳列ができる。リップ部１２を切欠２５から外にはみ出させて陳列できるため、陳列ケース１の小型化が図れる。また、切欠２５は上に開口しているため、リップ部１２を持ちながら、投入し陳列でき、補充作業も行いやすい。
【００３６】
複数の陳列室３が左右に並設されたことにより、容器１０の中身が異なる商品を陳列する場合、それぞれ分けて、陳列することができる。また、１つの陳列ケース１で大量の容器１０を陳列でき販売効率が向上する。
【００３７】
また、陳列ケース１の下端部５は、上下に積み上げられた容器１０のうち、一番下の容器１０Ａの鍔１１を、鍔１１より下の部分が下端部５の開口から突き出た状態に係止する段部５Ａと、段部５Ａに係止された容器１０を前方に引き出し取り出すために前方に開口した取出口５Ｂとを有する。
これにより、下端部５の開口から突き出た一番下の容器１０Ａの鍔１１より下の部分を把持して引き出すことで、容易に取出口５Ｂから取り出すことが可能である。取り出すと、積み上げられた容器１０の自重で、容器１０が下方に移動し、新たに一番下となった容器１０Ｂの鍔１１が段部５Ａに係止され、取出口５Ｂには常時、容器１０が取出可能状態に陳列される。
【００３８】
また、陳列ケース１は、正面板２１の下方に、表示板６を備え、表示板６と正面板２１の下端２１ａとの間に、一番下の容器１０Ａの鍔１１より下の部分が把持され引き出されるための隙間７を設けた。
これにより、一番下の容器１０Ａの取り出しを妨げずに商品の説明や価格などの商品情報を表示することが可能となり陳列効果が向上する。
【００３９】
正面板２１を、後方から前方へ向けて下方に傾斜したまま支持する支持手段８を備える。正面板２１が傾斜していることにより、垂直な場合に比べ、容器１０が自重で下に移動し、段部５Ａに係止される際の衝撃が和らぐ。また斜め上方からの視認性がよくなり、陳列効果が向上する。支持手段８により、正面板２１を傾斜した状態で保持できる。
【実施例２】
【００４０】
実施例２の鍔付き容器陳列ケース１の構成を、図４を用いて説明する。実施例２の鍔付き容器陳列ケース１は、実施例１とは異なり支持手段８を備えず、吊り下げ治具９が設けられている。吊り下げ治具９には吊り下げるための吊り下げ穴９１が設けられている。
【００４１】
吊り下げ治具９は、直方体のブロック状をしており、その中央部に吊り下げ穴９１が設けられている。本実施例では、吊り下げ治具９は、背板２２の後ろに、付設されている。
吊り下げ治具９を設ける場所は、これに限らず、正面板２１の後ろなどでもよい。
また、吊り下げ治具９を設けず、正面板２１や背板２２に吊り下げ穴９１が直接設けられていてもよい。
【００４２】
吊り下げ穴９１が、例えば壁面に設けられたフックが引っ掛けられることにより、壁面に陳列ケース１を吊り下げる事ができる。これにより、壁面に陳列ができ、売場の床面積を使う必要がなくなる。
【００４３】
〔変形例〕
実施例１および２では、容器１０の開口端に鍔１１が設けられているが、容器１０の上下方向の中心部に設けられているものでもよく、また、蓋１３は平らでなくとも、蓋１３の中心が膨らんでいるものでもよい。取出口５Ｂは、容器１０の鍔１１よりも上方の部分が通過できるようにすればよい。図５（ｂ）は、容器１０の蓋１３が上方に突出している。図５（ａ）は、容器１０が球状をしており、容器１０の上下方向の中心部に鍔１１が設けられている。
【図面の簡単な説明】
【００４４】
【図１】鍔付き容器陳列ケースの斜視図である（実施例１）。
【図２】（ａ）は鍔付き容器陳列ケースの平面図であり、（ｂ）は鍔付き容器陳列ケースの正面から見た概略図であり、（ｃ）は鍔付き容器陳列ケースの右側面図である（実施例１）。
【図３】（ａ）は鍔付き容器陳列ケースから一番下にある容器を取り出す前の状態で示す概略断面図、（ｂ）は鍔付き容器陳列ケースから一番下にある容器を取り出した後の状態で示す概略断面図である（実施例１）。
【図４】鍔付き容器陳列ケースの斜視図である（実施例２）。
【図５】（ａ）は球状の容器を陳列した取出口を正面からみた概略図であり、（ｂ）は蓋が上方に突出している容器を陳列した取出口を正面からみた概略図である（変形例）。
【符号の説明】
【００４５】
１  鍔付き容器陳列ケース
１０  容器
１１  鍔
２１  正面板
２２  背板
２３、２４  側板（両側板）
２５  切欠
３  陳列室
４  投入口
５  下端部
５Ａ  段部
５３、５４  係止段
５Ｂ  取出口
６  表示板
７  隙間
７１  取出窓
８  支持手段
９  吊り下げ治具
９１  吊り下げ穴
【図１】
2007037795.tif 000003
【図２】
2007037795.tif 000004
【図３】
2007037795.tif 000005
【図４】
2007037795.tif 000006
【図５】
2007037795.tif 000007